(57)【要約】      （修正有）【課題】ポスター等のシート状の掲示物を取り付ける掲示板において、突風・強風が掲示物と掲示面との間に吹き込んでも、掲示物が前方に膨らみにくく、かつ膨らんだとしても、掲示物の端部を拘束する拘束部から掲示物の端部が抜け出てしまうようなトラブルを生じることなく、その膨らみを解消しやすい掲示板を提供する。【解決手段】掲示面の左端部および右端部付近にそれぞれ設けられた板状の左側および右側間隙形成部１１ａと掲示面６との間に形成されており、掲示物１７の左右端部を挿入される左側および右側掲示物挿入間隙１２を、間隙空気抜き穴１３等を設ける等により外部空間に連通するか、または（或いはそれとともに）掲示面６の表裏を貫通する掲示面空気抜き穴７を設ける。【選択図】図１７
2008065283.tif 000002
【特許請求の範囲】
【請求項１】
掲示面を有しており、この掲示面にシート状の掲示物の裏面を当てられて該掲示物を取り付けられる掲示板であって、
前記掲示面を含む掲示板本体と、前記掲示面の上端部付近において前記掲示板本体に、前記掲示面の幅方向に延びる軸回りに回動可能に支持された上側押さえ部と、この上側押さえ部が所定の境界角度より前記掲示面側に回動されているときは該上側押さえ部を前記掲示面側に付勢する一方、前記上側押さえ部が前記所定の境界角度より前記掲示面と反対側に回動されているときは該上側押さえ部を前記掲示面と反対側に付勢する上側付勢手段と、前記掲示面の下端部付近において前記掲示板本体に、前記掲示面の幅方向に延びる軸回りに回動可能に支持された下側押さえ部と、この下側押さえ部が所定の境界角度より前記掲示面側に回動されているときは該下側押さえ部を前記掲示面側に付勢する一方、前記下側押さえ部が前記所定の境界角度より前記掲示面と反対側に回動されているときは該下側押さえ部を前記掲示面と反対側に付勢する下側付勢手段とを有し、
前記上側押さえ部には前記掲示面との間に前記掲示物の上端部を挟ませることができ、前記下側押さえ部には前記掲示面との間に前記掲示物の下端部を挟ませることができるようになっている掲示板において、
前記掲示面の左端部および右端部付近にそれぞれ設けられた板状の左側間隙形成部および右側間隙形成部と、前記左側間隙形成部と前記掲示面の左端部付近との間に形成されており、前記掲示物の左端部を挿入可能な左側掲示物挿入間隙と、前記左側間隙形成部の左端部と前記掲示面との間を閉じる左側間隙閉塞部と、前記右側間隙形成部と前記掲示面の右端部付近との間に形成されており、前記掲示物の右端部を挿入可能な右側掲示物挿入間隙と、前記右側間隙形成部の右端部と前記掲示面との間を閉じる右側間隙閉塞部と、前記左側掲示物挿入間隙と前記左側間隙閉塞部より左方の外部空間とを連通するように前記左側間隙閉塞部に貫通された左側間隙空気抜き穴と、前記右側掲示物挿入間隙と前記右側間隙閉塞部より右方の外部空間とを連通するように前記右側間隙閉塞部に貫通された右側間隙空気抜き穴とを有する掲示板。
【請求項２】
掲示面を有しており、この掲示面にシート状の掲示物の裏面を当てられて該掲示物を取り付けられる掲示板であって、
前記掲示面を含む掲示板本体と、前記掲示面の上端部付近において前記掲示板本体に、前記掲示面の幅方向に延びる軸回りに回動可能に支持された上側押さえ部と、この上側押さえ部が所定の境界角度より前記掲示面側に回動されているときは該上側押さえ部を前記掲示面側に付勢する一方、前記上側押さえ部が前記所定の境界角度より前記掲示面と反対側に回動されているときは該上側押さえ部を前記掲示面と反対側に付勢する上側付勢手段と、前記掲示面の下端部付近において前記掲示板本体に、前記掲示面の幅方向に延びる軸回りに回動可能に支持された下側押さえ部と、この下側押さえ部が所定の境界角度より前記掲示面側に回動されているときは該下側押さえ部を前記掲示面側に付勢する一方、前記下側押さえ部が前記所定の境界角度より前記掲示面と反対側に回動されているときは該下側押さえ部を前記掲示面と反対側に付勢する下側付勢手段とを有し、
前記上側押さえ部には前記掲示面との間に前記掲示物の上端部を挟ませることができ、前記下側押さえ部には前記掲示面との間に前記掲示物の下端部を挟ませることができるようになっている掲示板において、
前記掲示面の左端部および右端部付近にそれぞれ設けられた板状の左側間隙形成部および右側間隙形成部と、前記左側間隙形成部と前記掲示面の左端部付近との間に形成されており、前記掲示物の左端部を挿入可能な左側掲示物挿入間隙と、前記左側間隙形成部の左端部と前記掲示面との間を閉じる左側間隙閉塞部と、前記右側間隙形成部と前記掲示面の右端部付近との間に形成されており、前記掲示物の右端部を挿入可能な右側掲示物挿入間隙と、前記右側間隙形成部の右端部と前記掲示面との間を閉じる右側間隙閉塞部とを有してなり、
前記左側および右側間隙形成部が上下方向に関し不連続に設けられている掲示板。
【請求項３】
掲示面を有しており、この掲示面にシート状の掲示物の裏面を当てられて該掲示物を取り付けられる掲示板であって、
前記掲示面を含む掲示板本体と、前記掲示面の上端部付近において前記掲示板本体に、前記掲示面の幅方向に延びる軸回りに回動可能に支持された上側押さえ部と、この上側押さえ部が所定の境界角度より前記掲示面側に回動されているときは該上側押さえ部を前記掲示面側に付勢する一方、前記上側押さえ部が前記所定の境界角度より前記掲示面と反対側に回動されているときは該上側押さえ部を前記掲示面と反対側に付勢する上側付勢手段と、前記掲示面の下端部付近において前記掲示板本体に、前記掲示面の幅方向に延びる軸回りに回動可能に支持された下側押さえ部と、この下側押さえ部が所定の境界角度より前記掲示面側に回動されているときは該下側押さえ部を前記掲示面側に付勢する一方、前記下側押さえ部が前記所定の境界角度より前記掲示面と反対側に回動されているときは該下側押さえ部を前記掲示面と反対側に付勢する下側付勢手段とを有し、
前記上側押さえ部には前記掲示面との間に前記掲示物の上端部を挟ませることができ、前記下側押さえ部には前記掲示面との間に前記掲示物の下端部を挟ませることができるようになっている掲示板において、
前記掲示面の左端部および右端部付近にそれぞれ設けられた板状の左側間隙形成部および右側間隙形成部と、前記左側間隙形成部と前記掲示面の左端部付近との間に形成されており、前記掲示物の左端部を挿入可能な左側掲示物挿入間隙と、前記左側間隙形成部の左端部と前記掲示面との間を閉じる左側間隙閉塞部と、前記右側間隙形成部と前記掲示面の右端部付近との間に形成されており、前記掲示物の右端部を挿入可能な右側掲示物挿入間隙と、前記右側間隙形成部の右端部と前記掲示面との間を閉じる右側間隙閉塞部とを有してなり、
前記左側および右側間隙形成部並びに前記左側および右側間隙閉塞部が横断面Ｌ字形のＬ字形材によって一体的に構成されており、かつ前記Ｌ字形材が不連続に設けられることにより、前記左側および右側間隙形成部並びに前記左側および右側間隙閉塞部が上下方向に関し不連続に設けられている掲示板。
【請求項４】
掲示面を有しており、この掲示面にシート状の掲示物の裏面を当てられて該掲示物を取り付けられる掲示板において、
前記掲示面を構成する部材の表裏を貫通し、前記掲示面より前方の空間と前記掲示面より後方の空間とを連通する掲示面空気抜き穴を有してなる掲示板。
【請求項５】
前記掲示面を含む掲示板本体と、前記掲示面の上端部付近において前記掲示板本体に、前記掲示面の幅方向に延びる軸回りに回動可能に支持された上側押さえ部と、この上側押さえ部が所定の境界角度より前記掲示面側に回動されているときは該上側押さえ部を前記掲示面側に付勢する一方、前記上側押さえ部が前記所定の境界角度より前記掲示面と反対側に回動されているときは該上側押さえ部を前記掲示面と反対側に付勢する上側付勢手段と、前記掲示面の下端部付近において前記掲示板本体に、前記掲示面の幅方向に延びる軸回りに回動可能に支持された下側押さえ部と、この下側押さえ部が所定の境界角度より前記掲示面側に回動されているときは該下側押さえ部を前記掲示面側に付勢する一方、前記下側押さえ部が前記所定の境界角度より前記掲示面と反対側に回動されているときは該下側押さえ部を前記掲示面と反対側に付勢する下側付勢手段と、前記掲示面の左端部および右端部付近にそれぞれ設けられた板状の左側間隙形成部および右側間隙形成部と、前記左側間隙形成部と前記掲示面の左端部付近との間に形成されており、前記掲示物の左端部を挿入可能な左側掲示物挿入間隙と、前記右側間隙形成部と前記掲示面の右端部付近との間に形成されており、前記掲示物の右端部を挿入可能な右側掲示物挿入間隙とをさらに有し、
前記上側押さえ部には前記掲示面との間に前記掲示物の上端部を挟ませることができ、前記下側押さえ部には前記掲示面との間に前記掲示物の下端部を挟ませることができるようになっている請求項４記載の掲示板。
【発明の詳細な説明】
【技術分野】
【０００１】
本発明は、ポスター等のシート状の掲示物を取り付けられる掲示板に関する。
【背景技術】
【０００２】
従来より、掲示板として、掲示面の上下左右の端部付近にそれぞれ設けられた押さえ部と、これらの押さえ部を付勢するばねとを有しており、各押さえ部を開き方向に回動した状態で、前記掲示面にシート状の掲示物の裏面を当て、しかる後に各押さえ部を閉じ方向に回動し、前記ばねの力により各押さえ部と掲示面との間に該掲示物の上下左右の端部を挾持させることにより、掲示物を取り付ける構造のものがあった（例えば、特許文献１参照）。
【０００３】
また、本出願人は、先に特願２００６−４９４２２において、掲示物の上下端部は上述のような押さえ部により掲示面に拘束する一方、掲示面の左端部および右端部付近に板状の左側間隙形成部および右側間隙形成部をそれぞれ設け、掲示物の左右の端部は、前記左側間隙形成部および右側間隙形成部と掲示面の左右端部付近との間にそれぞれ形成された左側掲示物挿入間隙および右側掲示物挿入間隙にそれぞれ挿入する掲示板を提案した。
【特許文献１】米国特許第４，１４５，８２８号明細書
【発明の開示】
【発明が解決しようとする課題】
【０００４】
しかしながら、前記本出願人が提案した構造の掲示板においては、屋外の突風・強風が発生する場所に掲示板が設置された場合（例えば、電車の侵入、発進により突風が生じる地下鉄の駅のホーム等）には、左右端部から掲示物と掲示面との間に突風・強風が吹き込み、掲示物が前方に膨れあがった状態となることがあった。そして、このように前方に膨らんだ掲示物を不用意に不適切なやり方で叩いたり、押して、膨らみを解消しようとすると、掲示物と掲示面との間の空気が掲示物と掲示面との間の別の場所に移動することにより、掲示物の膨らみが別の場所に移動し、掲示物の左右いずれかの端部が左側または右側掲示物挿入間隙から抜け出してしまうことがあった。
【０００５】
また、上下の押さえ部が掲示物の上下端部を押さえる押さえ代が小さい場合には、突風・強風の吹き込みにより、掲示物の上端部または下端部の一部が上下の押さえ部から抜け出してしまうこともあるという問題もあった。
【０００６】
本発明は、このような従来の事情に鑑みてなされたもので、本発明の目的は、突風・強風が発生する場所に掲示板が設置され、掲示物と掲示面との間に突風・強風が吹き込んでも、掲示物が膨らみにくく、また膨らんだとしても、左側および右側掲示物挿入間隙等の掲示物の左右端部を拘束する拘束部から掲示物の左右端部が抜け出てしまうようなトラブルを生じることなく、その膨らみを解消しやすく、さらに上下の押さえ部が掲示物を押さえる押さえ代が比較的に小さくても、上下端部が上下の押さえ部から抜け出してしまうこともない掲示板を提供することにある。
【０００７】
本発明のさらに他の目的は、以下の説明から明らかになろう。
【課題を解決するための手段】
【０００８】
第一の本発明による掲示板は、掲示面を有しており、この掲示面にシート状の掲示物の裏面を当てられて該掲示物を取り付けられる掲示板であって、
前記掲示面を含む掲示板本体と、前記掲示面の上端部付近において前記掲示板本体に、前記掲示面の幅方向に延びる軸回りに回動可能に支持された上側押さえ部と、この上側押さえ部が所定の境界角度より前記掲示面側に回動されているときは該上側押さえ部を前記掲示面側に付勢する一方、前記上側押さえ部が前記所定の境界角度より前記掲示面と反対側に回動されているときは該上側押さえ部を前記掲示面と反対側に付勢する上側付勢手段と、前記掲示面の下端部付近において前記掲示板本体に、前記掲示面の幅方向に延びる軸回りに回動可能に支持された下側押さえ部と、この下側押さえ部が所定の境界角度より前記掲示面側に回動されているときは該下側押さえ部を前記掲示面側に付勢する一方、前記下側押さえ部が前記所定の境界角度より前記掲示面と反対側に回動されているときは該下側押さえ部を前記掲示面と反対側に付勢する下側付勢手段とを有し、
前記上側押さえ部には前記掲示面との間に前記掲示物の上端部を挟ませることができ、前記下側押さえ部には前記掲示面との間に前記掲示物の下端部を挟ませることができるようになっている掲示板において、
前記掲示面の左端部および右端部付近にそれぞれ設けられた板状の左側間隙形成部および右側間隙形成部と、前記左側間隙形成部と前記掲示面の左端部付近との間に形成されており、前記掲示物の左端部を挿入可能な左側掲示物挿入間隙と、前記左側間隙形成部の左端部と前記掲示面との間を閉じる左側間隙閉塞部と、前記右側間隙形成部と前記掲示面の右端部付近との間に形成されており、前記掲示物の右端部を挿入可能な右側掲示物挿入間隙と、前記右側間隙形成部の右端部と前記掲示面との間を閉じる右側間隙閉塞部と、前記左側掲示物挿入間隙と前記左側間隙閉塞部より左方の外部空間とを連通するように前記左側間隙閉塞部に貫通された左側間隙空気抜き穴と、前記右側掲示物挿入間隙と前記右側間隙閉塞部より右方の外部空間とを連通するように前記右側間隙閉塞部に貫通された右側間隙空気抜き穴とを有するものである。
【０００９】
第二の本発明による掲示板は、掲示面を有しており、この掲示面にシート状の掲示物の裏面を当てられて該掲示物を取り付けられる掲示板であって、
前記掲示面を含む掲示板本体と、前記掲示面の上端部付近において前記掲示板本体に、前記掲示面の幅方向に延びる軸回りに回動可能に支持された上側押さえ部と、この上側押さえ部が所定の境界角度より前記掲示面側に回動されているときは該上側押さえ部を前記掲示面側に付勢する一方、前記上側押さえ部が前記所定の境界角度より前記掲示面と反対側に回動されているときは該上側押さえ部を前記掲示面と反対側に付勢する上側付勢手段と、前記掲示面の下端部付近において前記掲示板本体に、前記掲示面の幅方向に延びる軸回りに回動可能に支持された下側押さえ部と、この下側押さえ部が所定の境界角度より前記掲示面側に回動されているときは該下側押さえ部を前記掲示面側に付勢する一方、前記下側押さえ部が前記所定の境界角度より前記掲示面と反対側に回動されているときは該下側押さえ部を前記掲示面と反対側に付勢する下側付勢手段とを有し、
前記上側押さえ部には前記掲示面との間に前記掲示物の上端部を挟ませることができ、前記下側押さえ部には前記掲示面との間に前記掲示物の下端部を挟ませることができるようになっている掲示板において、
前記掲示面の左端部および右端部付近にそれぞれ設けられた板状の左側間隙形成部および右側間隙形成部と、前記左側間隙形成部と前記掲示面の左端部付近との間に形成されており、前記掲示物の左端部を挿入可能な左側掲示物挿入間隙と、前記左側間隙形成部の左端部と前記掲示面との間を閉じる左側間隙閉塞部と、前記右側間隙形成部と前記掲示面の右端部付近との間に形成されており、前記掲示物の右端部を挿入可能な右側掲示物挿入間隙と、前記右側間隙形成部の右端部と前記掲示面との間を閉じる右側間隙閉塞部とを有してなり、
前記左側および右側間隙形成部が上下方向に関し不連続に設けられているものである。
【００１０】
第三の本発明による掲示板は、掲示面を有しており、この掲示面にシート状の掲示物の裏面を当てられて該掲示物を取り付けられる掲示板であって、
前記掲示面を含む掲示板本体と、前記掲示面の上端部付近において前記掲示板本体に、前記掲示面の幅方向に延びる軸回りに回動可能に支持された上側押さえ部と、この上側押さえ部が所定の境界角度より前記掲示面側に回動されているときは該上側押さえ部を前記掲示面側に付勢する一方、前記上側押さえ部が前記所定の境界角度より前記掲示面と反対側に回動されているときは該上側押さえ部を前記掲示面と反対側に付勢する上側付勢手段と、前記掲示面の下端部付近において前記掲示板本体に、前記掲示面の幅方向に延びる軸回りに回動可能に支持された下側押さえ部と、この下側押さえ部が所定の境界角度より前記掲示面側に回動されているときは該下側押さえ部を前記掲示面側に付勢する一方、前記下側押さえ部が前記所定の境界角度より前記掲示面と反対側に回動されているときは該下側押さえ部を前記掲示面と反対側に付勢する下側付勢手段とを有し、
前記上側押さえ部には前記掲示面との間に前記掲示物の上端部を挟ませることができ、前記下側押さえ部には前記掲示面との間に前記掲示物の下端部を挟ませることができるようになっている掲示板において、
前記掲示面の左端部および右端部付近にそれぞれ設けられた板状の左側間隙形成部および右側間隙形成部と、前記左側間隙形成部と前記掲示面の左端部付近との間に形成されており、前記掲示物の左端部を挿入可能な左側掲示物挿入間隙と、前記左側間隙形成部の左端部と前記掲示面との間を閉じる左側間隙閉塞部と、前記右側間隙形成部と前記掲示面の右端部付近との間に形成されており、前記掲示物の右端部を挿入可能な右側掲示物挿入間隙と、前記右側間隙形成部の右端部と前記掲示面との間を閉じる右側間隙閉塞部とを有してなり、
前記左側および右側間隙形成部並びに前記左側および右側間隙閉塞部が横断面Ｌ字形のＬ字形材によって一体的に構成されており、かつ前記Ｌ字形材が不連続に設けられることにより、前記左側および右側間隙形成部並びに前記左側および右側間隙閉塞部が上下方向に関し不連続に設けられているものである。
【００１１】
第一乃至第三の本発明においては、掲示物と掲示面との間に突風・強風が吹き込んでも、少なくともその一部は左側および右側間隙空気抜き穴、左側および右側間隙形成部の不連続部、またはＬ字形材の不連続部から外部に抜けてしまうので、掲示物が前方に膨らみにくくなり、膨らんだとしてもその膨らみが小さくなる。
【００１２】
また、突風・強風により、掲示物と掲示面との間に空気が吹き込み、掲示物が前方に膨らんでしまったとしても、その後、左側および右側間隙空気抜き穴、左側および右側間隙形成部の不連続部、またはＬ字形材の不連続部から空気が抜けることによって、掲示物の弾性や突風・強風の作用方向の変化等により、自然に膨らみが解消したり、減少しやすい（突風・強風が掲示物を前方側から掲示面側に押してフラットにさせる方向に作用することもある）。また、前方に膨らんだ状態の掲示物を手で押すと、左側および右側間隙空気抜き穴、左側および右側間隙形成部の不連続部、またはＬ字形材の不連続部から空気が抜けて行くので、手で押す動作を特に注意深く行わなくても、掲示物の膨らみが別の場所に移動し、掲示物の左右の端部が左側または右側掲示物挿入間隙から抜け出してしまう虞が少なくなる。また、同じ理由により、上下の押さえ部が掲示物を押さえる押さえ代が比較的に小さくても、上下端部が上下の押さえ部から抜け出してしまうこともない。
【００１３】
第四の本発明による掲示板は、掲示面を有しており、この掲示面にシート状の掲示物の裏面を当てられて該掲示物を取り付けられる掲示板において、
前記掲示面を構成する部材の表裏を貫通し、前記掲示面より前方の空間と前記掲示面より後方の空間とを連通する掲示面空気抜き穴を有してなるものである。
【００１４】
この第四の本発明においても、掲示物と掲示面との間に突風・強風が吹き込んでも、少なくともその一部は空気抜き穴から外部に抜けてしまうので、掲示物が前方に膨らみにくくなり、膨らんだとしてもその膨らみが小さくなる。
【００１５】
また、突風・強風により、掲示物と掲示面との間に空気が吹き込み、掲示物が前方に膨らんでしまったとしても、その後、空気抜き穴から空気が抜けることにより、自然に膨らみが解消したり、減少しやすい。また、前方に膨らんだ状態の掲示物を手で押すと、空気抜き穴から空気が抜けて行くので、手で押す動作を特に注意深く行わなくても、掲示物の膨らみが別の場所に移動し、掲示物の左右の端部が掲示板から外れてしまう虞が少なくなる。また、同じ理由により、上下の押さえ部が掲示物を押さえる押さえ代が比較的に小さくても、上下端部が上下の押さえ部から抜け出してしまうこともない。
【発明の効果】
【００１６】
本発明の掲示板は、
（イ）突風・強風が発生する場所に掲示板が設置され、掲示物と掲示面との間に突風・強風が吹き込んでも、掲示物が前方に膨らみにくく、膨らんだとしてもその膨らみが小さくなる、
（ロ）掲示物が膨らんだとしても、左側および右側掲示物挿入間隙等の掲示物の左右端部を拘束する拘束部から掲示物の左右端部が抜け出てしまうようなトラブルを生じることなく、その膨らみを解消しやすい、
（ハ）上下の押さえ部が掲示物を押さえる押さえ代が比較的に小さくても、上下端部が上下の押さえ部から抜け出してしまうこともない、
等の優れた効果を得られるものである。
【発明を実施するための最良の形態】
【００１７】
以下、本発明を図面に示す実施例に基づいて説明する。
【実施例１】
【００１８】
図１〜１７は本発明の実施例１を示している。本実施例における掲示板１の掲示板本体２は、上側枠材３、下側枠材４およびパネル板５を有してなり、全体として矩形状をなしている。図４，７〜１０に示されるように、前記上側枠材３および下側枠材４は、それぞれアルミ押し出し型材からなっている。前記パネル板５はアルミ板からなり、全体として矩形状をなしている。図５，６に示されるように、このパネル板５の左右両端部は直角に折り曲げられている一方、図７，８に示されるように、このパネル板５の上下両端部は断面コの字状になるように曲げ返されており、かつ上下端部を上側および下側枠材３，４にそれぞれ固定されている。前記パネル板５の前面、上側枠材３の下部前面３ａ（図４，７参照）および下側枠材４の上部前面４ａ（図８〜１０参照）は、掲示面６を構成している。なお、面積的には、掲示面６の大部分はパネル板５によって構成されている。
【００１９】
図５に示されるように、前記掲示面６の左端部付近のうちの最左方部分は左側凹陥部６ａを構成する一方、図６に示されるように、掲示面６の右端部付近のうちの最右方部分は右側凹陥部６ｂを構成している。前記左側および右側凹陥部６ａ，６ｂは、掲示面６の大部分をなす広い平面状の主平面状部６ｃより凹陥していて、かつ主平面状部６ｃと平行に広がっている。図１，４，５に示されるように、前記掲示面６の左端部付近のうちの左側凹陥部６ａに隣接する部分は、主平面状部６ｃから左側凹陥部６ａへ向かって下り勾配となるように傾斜する左側傾斜部６ｄを形成している。図６に示されるように、前記掲示面６の右端部付近のうちの右側凹陥部６ｂに隣接する部分は、主平面状部６ｃから右側凹陥部６ｂへ向かって下り勾配となるように傾斜する右側傾斜部６ｅを形成している。前記パネル板５のうちの、左側凹陥部６ａ、右側凹陥部６ｂ、左側傾斜部６ｄおよび右側傾斜部６ｅを構成する部分には、水平方向および上下方向に適当な間隔を明けて、適当数の掲示面空気抜き穴７がパネル板５の表裏を貫通するように設けられている。したがって、前記掲示面空気抜き穴７は掲示面６より前方の空間と掲示面６より後方の空間（裏面側の空間）とを連通している。
【００２０】
図１〜４および５に示されるように、前記パネル板５の左端部にはアクリル樹脂からなる横断面Ｌ字形の透明な左側Ｌ字形材８が取り付けられている。図５によく示されるように、前記左側Ｌ字形材８の一方の辺は左側凹陥部６ａに対し平行な左側間隙形成部８ａを構成しており、左側凹陥部６ａに左側掲示物挿入間隙９を介して対向している。前記左側Ｌ字形材８の他方の辺は、左側間隙形成部８ａの左端部と掲示面６との間を閉じる左側間隙閉塞部８ｂを構成している。したがって、本実施例においては、前記左側間隙形成部８ａおよび左側間隙閉塞部８ｂは左側Ｌ字形材８によって一体的に構成されている。前記左側間隙閉塞部８ｂには、左側掲示物挿入間隙９と左側間隙閉塞部８ｂより左方の外部空間とを連通するスリット状の左側間隙空気抜き穴１０が貫通されている。
【００２１】
同様にして、図１および６に示されるように、前記パネル板５の右端部にはアクリル樹脂からなる横断面Ｌ字形の透明な右側Ｌ字形材１１が取り付けられている。図６によく示されるように、前記右側Ｌ字形材１１の一方の辺は右側凹陥部６ｂに対し平行な右側間隙形成部１１ａを構成しており、右側凹陥部６ｂに右側掲示物挿入間隙１２を介して対向している。前記右側Ｌ字形材１１の他方の辺は、右側間隙形成部１１ａの右端端部と掲示面６との間を閉じる右側間隙閉塞部１１ｂを構成している。したがって、本実施例においては、前記右側間隙形成部１１ａおよび右側間隙閉塞部１１ｂは右側Ｌ字形材１１によって一体的に構成されている。前記右側間隙閉塞部１１ｂには、右側掲示物挿入間隙１２と右側間隙閉塞部１１ｂより右方の外部空間とを連通する右側間隙空気抜き穴１３が貫通されている。
【００２２】
図４および７に示されているように、前記上側枠材３には、該枠材３の長さ方向（すなわち掲示面６の幅方向）に延びる横断面ほぼ円形状の軸突条３ｂが一体的に設けられている。上側開閉材１４はアルミ押し出し型材からなっていて、横断面円弧状の内面を有する軸溝１４ａを設けられており、この軸溝１４ａを軸突条３ｂに嵌合されることにより、上側枠材３ひいては掲示板本体２に対し掲示面６の幅方向に延びる回転軸（軸突条３ｂ）を中心として回動可能に支持されている。前記上側開閉材１４には、帯板状のアクリル樹脂板からなる透明な上側透明板１５が固定的に取り付けられている。ここにおいて、本実施例では、上側開閉材１４と上側透明板１５とにより上側押さえ部１６が構成されており、したがってこの上側押さえ部１６は掲示面６の幅方向に延びる回転軸を中心として回動可能となっている。
【００２３】
図４と図７の実線とは、前記上側押さえ部１６が完全に閉じられた位置にある状態を示しており、この状態では、掲示物１７が挿入されていない場合、上側透明板１５の後面が上側枠材３の下部前面３ａの上側部分に全面的に接触した状態となる（後で詳しく説明するように、掲示物１７が掲示板１に取り付けられるときは、上側透明板１５と上側枠材３の下部前面３ａとの間に掲示物１７が挟まれることになる）。
【００２４】
前記上側枠材３と上側開閉材１４との間には円弧状に湾曲された板ばねからなる上側付勢手段１８が介装されており、この上側付勢手段１８はデッド・ポイントばねを構成していて、上側開閉材１４ひいては上側押さえ部１６全体が所定の境界角度より掲示面６側（閉じ側）に回動されているときは該上側開閉材１４ひいては上側押さえ部１６全体を掲示面６側（閉じ側）に付勢する一方、上側開閉材１４ひいては上側押さえ部１６全体が所定の境界角度より掲示面６と反対側（開き側）に回動されているときは逆に該上側開閉材１４ひいては上側押さえ部１６全体を掲示面６と反対側（開き側）に付勢するようになっている。
【００２５】
図８〜１０に示されているように、前記下側枠材４には掲示面６の幅方向に延びる横断面ほぼ円形状の軸突条４ｂが一体的に設けられている。下側開閉材１９はアルミ押し出し型材からなっていて、横断面円弧状の内面を有する軸溝１９ａを設けられており、この軸溝１９ａを軸突条４ｂに嵌合されることにより、下側枠材４ひいては掲示板本体２に対し掲示面６の幅方向に延びる回転軸（軸突条４ｂ）を中心として回動可能に支持されている。前記下側開閉材１９には、帯板状のアクリル樹脂板からなる透明な下側透明板２０が固定的に取り付けられている。ここにおいて、本実施例では、下側開閉材１９と下側透明板２０とにより、下側押さえ部２１が構成されており、したがって下側押さえ部２１は掲示面６の幅方向に延びる回転軸を中心として回動可能となっている。
【００２６】
図８の実線および図１０は、前記下側押さえ部２１が完全に閉じられた位置にある状態を示しており、この状態では、掲示物１７が挿入されていない場合、下側透明板２０が下側枠材４の後面が上部前面４ａに全面的に接触した状態となる（後で詳しく説明するように、掲示物１７が掲示板１に取り付けられるときは、下側透明板２０と下側枠材４の上部前面４ａとの間に掲示物１７が挟まれることになる）。図９および１０によく示されるように、下側枠材４の上部前面４ａには、掲示面６より前方に突出する位置決め凸部２２が掲示面６の幅方向に適当な間隔で適当数設けられている。前記下側透明板２０のうちの、位置決め凸部２２に対応する部分には、下側透明板２０と位置決め凸部２２とが干渉しないようにするための切欠き２３が設けられている。
【００２７】
前記下側枠材４と下側開閉材１９との間には円弧状に湾曲された板ばねからなる下側付勢手段２４が介装されており、この下側付勢手段２４はデッド・ポイントばねを構成していて、下側開閉材１９ひいては下側押さえ部２１全体が所定の境界角度より掲示面６側（閉じ側）に回動されているときは該下側開閉材１９ひいては下側押さえ部２１全体を掲示面６側（閉じ側）に付勢する一方、下側開閉材１９ひいては下側押さえ部２１全体が所定の境界角度より掲示面６と反対側（開き側）に回動されているときは逆に該下側開閉材１９ひいては下側押さえ部２１全体を掲示面６と反対側（開き側）に付勢するようになっている。
【００２８】
図１，２および３に示されるように前記上側枠材３の両端部にはカバー材２５、前記下側枠材４の両端部にはカバー材２６がそれぞれ取り付けられている。
【００２９】
次に、本実施例の掲示板１の使用方法および作動を説明する。この掲示板１は、建造物の壁等（図示せず）に取り付けられる。好適には、任意数の掲示板１を互いに接するようにして横に並べて取り付ける（ただし、前記壁等に掲示板１を１個のみ設置したり、互いに間隔を置いて横に並べて設置したり、縦方向や斜め方向に複数配置して使用することも可能である）。図１１および１４は、掲示板１を互いに接するようにして横に２つ並べて前記壁等に取り付けた状態をそれぞれ示している。
【００３０】
例えば、取り付けるべきポスター等の掲示物１７と掲示面６のサイズとが実質的に同じである場合（例えば、どちらもＢ１サイズである場合）は、１個の掲示板１に対して１枚の掲示物１７を取り付ける。この場合は、図７，８の一点鎖線および図９で示されるように、上側および下側押さえ部１６，２１を開いておいた上、図５の一点鎖線で示されるように掲示物１７の左端部を左側掲示物挿入間隙９に、図６の一点鎖線で示されるように掲示物１７の右端部を右側掲示物挿入間隙１２にそれぞれ挿入するとともに、掲示物１７の裏面を掲示面６に当てる（この作業は、図１２に示されるように、一旦掲示物１７を、その幅方向中央部が前方に突出して前方に凸になるように湾曲させてから行うと、容易に行うことができる）。そして、図９の一点鎖線で示されるように、掲示物１７の下端を位置決め凸部２２上に載置する。このようにして掲示物１７の下端が位置決め凸部２２上に載置されることにより、掲示面６に対する掲示物１７の上下方向に関する位置が自ずと決まるとともに、掲示物１７が左右に傾かないようすることができる。
【００３１】
次に、上側付勢手段１８に抗して上側押さえ部１６を閉じ方向に回動させ、上側付勢手段１８の付勢力により上側透明板１５と掲示面６（特にそのうちの上側枠材３の下部前面３ａ）との間に掲示物１７の上端部を挟ませるとともに、下側付勢手段２４に抗して下側押さえ部２１を閉じ方向に回動させ、下側付勢手段２４の付勢力により下側透明板２０と掲示面６（特にそのうちの下側枠材４の上部前面４ａ）との間に掲示物１７の下端部を挟ませる。なお、上側および下側押さえ部１６，２１を所定の境界角度より閉方向（掲示面６側）に回動すると、上側および下側付勢手段１８，２４は上側および下側押さえ部１６，２１をそれまでと逆の閉方向（掲示面６側）に付勢するようになる。これにより、掲示板１に対する掲示物１７の取付作業が完了する。
【００３２】
図１１は、横に２つ並べて前記壁等に取り付けられた掲示板１に、上述のようにしてそれぞれ１枚ずつ掲示物１７を取り付けた状態を示している。なお、図面では、個々の掲示物１７を他の掲示物１７と容易に識別できるようにするため、便宜上、各掲示物１７の表面にそれぞれ格子の大きさが異なる格子模様を施すとともに、符号１７の後に括弧付き数字を付して１７（１），１７（２）としている。本実施例では、掲示物１７の左右の端部は何らかの押さえ部品で押さえることはないので、隣接する掲示物１７間の隙間を非常に小さくすることができる。
【００３３】
他方、掲示物１７のサイズがＢ０である一方、掲示面６のサイズがＢ１である場合のように、掲示物１７を２つ折りしたサイズが大略掲示面６のサイズになっている場合は、図１４のように隣接して横に並べて設置した２つの掲示板１に跨るようにして１枚の掲示物１７を取り付ける。すなわちこの場合は、掲示物１７の左端部を左側の掲示板１の左側掲示物挿入間隙９に、掲示物１７の右端部を右側の掲示板１の右側掲示物挿入間隙１２にそれぞれ挿入するとともに、図１５の一点鎖線で示されるように、左側の掲示板１の右側掲示物挿入間隙１２および右側の掲示板１の左側掲示物挿入間隙９には掲示物１７を挿入せず、掲示物１７が左側の掲示板１の右側間隙形成部１１ａおよび右側の掲示板１の左側間隙形成部８ａの前面に跨るようにする。また、先に述べた１個の掲示板１に対して１枚の掲示物１７を取り付ける場合と同様に、掲示物１７の下端を各掲示板１の位置決め凸部２２上に載置する。そしてこの状態で、上側付勢手段１８に抗して各掲示板１の上側押さえ部１６を閉じ方向に回動させ、上側付勢手段１８の付勢力により各掲示板１の上側透明板１５と掲示面６との間に掲示物１７の上端部を挟ませるとともに、下側付勢手段２４に抗して各掲示板１の下側押さえ部２１を閉じ方向に回動させ、下側付勢手段２４の付勢力により各掲示板１の下側透明板２０と掲示面６との間に掲示物１７の下端部を挟ませる。
【００３４】
この掲示板１においては、上記のようにして掲示物１７を取り付けることができるので、掲示物１７の取り付けを容易かつ迅速に綺麗に行うことができ、取り外しも取り付けと逆の作業を行うことにより容易かつ迅速に行うことができる。
【００３５】
また、この掲示板１においては、前述のように１種類のサイズ（例えばＢ１）の掲示板１により、異なるサイズ（例えば、Ｂ１とＢ０）の掲示物１７を取り付けることができる。そして、特に本実施例では、掲示面６のうちの左側および右側間隙形成部８ａ，１１ａに対向する部分（左側および右側凹陥部６ａ，６ｂ）を凹陥させ、左側および右側間隙形成部８ａ，１１ａの前面を掲示面６の主要部と面一としているので、掲示板１のサイズより大きい掲示物１７を取り付ける際、図１５のように掲示物１７が左側の掲示板１の右側間隙形成部１１ａおよび右側の掲示板１の左側間隙形成部８ａの前面に跨るようにしたとき、掲示物１７の中央部を平面状態に保持させ、見苦しくならないようにすることができる。
【００３６】
また、本実施例では、左側および右側傾斜部６ｄ，６ｅが設けられているので、上述のように掲示面６のうちの左側間隙形成部８ａおよび右側間隙形成部１１ａに対向する部分（左側および右側凹陥部６ａ，６ｂ）が凹陥しているにもかかわらず、掲示物１７の取り付け時、図５および６のように掲示物１７の左右端部を左側および右側掲示物挿入間隙９，１２にそれぞれ挿入する際、掲示物１７の左右端部を左側および右側傾斜部６ｄ，６ｅに案内させてその作業を行うことができるため、取付作業を容易かつ迅速に行うことができる。
【００３７】
さらに、本実施例では、掲示物１７の左右、上下の端部上に存在することになる左側間隙形成部８ａ、右側間隙形成部１１ａ、上側透明板１５および下側透明板２０は、それぞれ透明の板状とされているので、掲示物１７の上下左右の端部が見えなくなってしまうことがない。
【００３８】
さて、図１６は、本実施例において、左側および右側間隙閉塞部８ｂ，１１ｂに左側および右側間隙空気抜き穴１０，１３、掲示面６に掲示面空気穴７がそれぞれ設けられていないと仮定した場合に、突風・強風が吹き込んだ状態を示す断面図である（ただし、図１６は掲示板１の右端部付近のみを示している）。突風・強風は矢印Ａで示すように掲示物１７の表面に沿って左側および右側間隙形成部８ａ，１１ａと掲示物１７の表面との間に侵入し、さらに回り込んで掲示物１７の裏面と掲示面６との間に侵入し、掲示物１７を前方に膨らませる。そして、このように前方に膨らんだ掲示物１７を不適切なやり方で叩いたり、押して、膨らみを解消しようとすると、掲示物１７と掲示面６との間の空気が掲示物１７と掲示面６との間の別の場所に移動することにより、掲示物１７の膨らみが別の場所に移動し、図１６の２点鎖線で示されるように、掲示物１７の左または右端部が左側または右側掲示物挿入間隙９，１２から抜け出してしまうことがある。
【００３９】
しかるに、この掲示板１においては、実際には左側および右側間隙空気抜き穴１０，１３並びに掲示面空気穴７が設けられているので、図１７に示されるように、矢印Ａのように突風・強風が掲示物１７の表面に沿って左側および右側間隙形成部８ａ，１１ａと掲示物１７の表面との間に侵入しても、少なくともその一部は、矢印Ｂ，Ｃのように、左側および右側間隙空気抜き穴１０，１３並びに掲示面空気抜き穴７から外部に抜けてしまうので、掲示物１７が前方に膨らみにくくなり、膨らんだとしてもその膨らみが小さくなる。
【００４０】
また、突風・強風により、掲示物１７と掲示面６との間に空気が吹き込み、掲示物１７が前方に膨らんでしまったとしても、その後、左側および右側間隙空気抜き穴１０，１３並びに掲示面空気抜き穴７から空気が抜けることによって、掲示物１７の弾性や突風・強風の作用方向の変化等により、自然に膨らみが解消したり、減少しやすい（突風・強風は掲示物１７を前方側から掲示面６側に押してフラットにさせる方向に作用することもある）。また、前方に膨らんだ状態の掲示物１７を手で押すと、左側および右側間隙空気抜き穴１０，１３並びに掲示面空気抜き穴７から空気が抜けて行くので、手で押す動作を特に注意深く行わなくても、掲示物１７の膨らみが別の場所に移動し、掲示物１７の左右の端部が左側または右側掲示物挿入間隙９，１２から抜け出してしまう虞が少なくなる。また、同じ理由により、上下の押さえ部が掲示物１７を押さえる押さえ代が比較的に小さくても、上下端部が上下の押さえ部から抜け出してしまうこともない。
【００４１】
なお、図１１および１４のように、２つの掲示板１を掲示板１を互いに接するようにして横に並べて設置した場合は、左側の掲示板１の右側間隙空気抜き穴１３と右側の掲示板１の左側間隙空気抜き穴１０とが互いに連続した状態となるが、１つの掲示板１の左側または右側間隙空気抜き穴１０，１３から隣の掲示板１の右側または左側間隙空気抜き穴１３，１０へ風ないしは空気が移動しても、結局は外部に抜けて行くので、特に支障を生じることはない。
【００４２】
また、本実施例では、掲示面６の左端部および右端部付近にのみ掲示面空気抜き穴７が設けられているが、掲示面６の中央部側にも掲示面空気抜き穴７を設けてもよい。また、掲示面空気抜き穴７の大きさ、形状、配列等は、本実施例のようなものに限られることはなく、適宜、変更することができる。
【００４３】
また、本実施例では、左側および右側間隙空気抜き穴１０，１３をスリット状としているが、左側および右側間隙空気抜き穴は必ずしもスリット状としなくてもよく、適宜な形状、大きさ、配置とすることができる。
【実施例２】
【００４４】
図１８および１９は、本発明の実施例２を示している（ただし、右端部側のみを示している）。本実施例においては、左側および右側Ｌ字形材８，１１が適当数に分割されて不連続に設けられることにより、左側および右側間隙形成部８ａ，１１ａ並びに前記左側および右側間隙閉塞部８ｂ，１１ｂが上下方向に関し不連続に設けられている。本実施例においては、左側および右側間隙空気抜き穴１０，１３は設けられていない。他の構成は、前記実施例１と同様である。
【００４５】
本実施例においては、前記実施例１の左側および右側間隙空気抜き穴１０，１３に代えて、左側および右側Ｌ字形材８，１１の不連続部（左側および右側間隙形成部８ａ，１１ａ並びに左側および右側間隙閉塞部８ｂ，１１ｂの不連続部）から外部へ空気が抜けることにより、前記実施例１と同様の作用効果を得ることができる。
【実施例３】
【００４６】
図２０および２１は、本発明の実施例３を示している（ただし、右端部側のみを示している）。本実施例においては、左側および右側Ｌ字形材８，１１自体は分割されておらず、左側および右側間隙閉塞部８ｂ，１１ｂは上下方向に連続している一方、左側および右側間隙形成部８ａ，１１ａが上下方向に関し不連続に設けられている。本実施例においても、左側および右側間隙空気抜き穴１０，１３は設けられていない。他の構成は、前記実施例１と同様である。
【００４７】
本実施例においては、前記実施例１の左側および右側間隙空気抜き穴１０，１３に代えて、左側および右側間隙形成部８ａ，１１ａの不連続部から空気が抜けることにより、前記実施例１と同様の作用効果を得ることができる。
【００４８】
なお、２以上の掲示板１を互いに接するようにして横に並べて設置した場合、前記実施例２の場合は、隣り合う掲示板１間において、掲示面６の後方（裏面側）から左側および右側Ｌ字形材８，１１の不連続部を通じて、突風・強風が掲示面６と掲示物１７との間に回り込んでくる虞があるが、本実施例では、左側および右側間隙閉塞部８ｂ，１１ｂは上下方向に連続しているので、隣り合う掲示板１間において左側および右側間隙閉塞部８ｂ，１１ｂを互いに隙間なく接触させ、掲示面６の後方から突風・強風が掲示面６と掲示物１７との間に回り込んでくる虞をなくすことができる。
【実施例４】
【００４９】
図２２は、本発明の実施例４を示している。本実施例においては、掲示面空気穴７に逆止弁２７が設けられている。前記逆止弁２７は、パネル板５の後面側に一端部を取り付けられた柔軟なシート状の弁体２７ａを有してなり、掲示面６の前方側の方が後方側より圧力が高くなったときは、同図の一点鎖線で示されるように掲示面空気抜き穴７を開いて矢印Ｃのように掲示面６の前方側から後方側への空気の排出を許す一方、逆に掲示面６の後方側の方が前方側より圧力が高くなったときは、同図の実線位置で示されるように掲示面空気抜き穴７を閉じ、掲示面６の後方側から前方側への空気の流入を防止するようになっている。他の構成は、前記実施例１と同様である。
【００５０】
本実施例においては、突風・強風が掲示面６の後方（裏側）から掲示面空気穴７を通じて掲示面６と掲示物１７との間に回り込んでくる虞をなくすことができる。
【００５１】
なお、左側および右側間隙空気抜き穴１０，１３にも逆止弁を設け、これらの逆止弁が、掲示板１内部側の方が掲示板１の側方外部側より圧力が高くなったときは、左側および右側間隙空気抜き穴１０，１３を開く一方、逆に側掲示板１の側方外部側の方が掲示板１内部より圧力が高くなったときは、左側および右側間隙空気抜き穴１０，１３を閉じるようにしてもよい。これにより、突風・強風が掲示面６の外部側方から左側および右側間隙空気抜き穴１０，１３を通じて掲示板１内部に侵入する虞をなくすことができる。
なお、本発明の掲示板は、建造物の壁以外に取り付けるようにしてもよいし、自立するようにしてもよい。
【産業上の利用可能性】
【００５２】
以上のように本発明による掲示板は、ポスター等のシート状の掲示物を取り付けられる掲示板として有用である。
【図面の簡単な説明】
【００５３】
【図１】本発明による掲示板の実施例１を示す正面図である。
【図２】前記実施例１を示す左側面図である。
【図３】図２の上端側を拡大して示す拡大左側面図である。
【図４】前記実施例１の左上隅部付近を示す斜視図である。
【図５】図１のＶ−Ｖ線における断面図である。
【図６】図１のＶＩ−ＶＩ線における断面図である。
【図７】図１のＶＩＩ−ＶＩＩ線における断面図である。
【図８】図１のＶＩＩＩ−ＶＩＩＩ線における断面図である。
【図９】前記実施例１における位置決め凸部付近を下側押さえ部を開いた状態で示す断面図である。
【図１０】前記実施例１における位置決め凸部付近を下側押さえ部を閉じた状態で示す断面図である。
【図１１】前記実施例１の掲示板を横に２つ並べて設置し、１個の掲示板に対し１枚ずつ掲示物を取り付けた状態を示す正面図である。
【図１２】前記実施例１の掲示板の左側および右側間隙形成部に掲示物の左右端部を挿入する作業を示す断面図である。
【図１３】図１１のＸＩＩＩ−ＸＩＩＩ線における断面図である。
【図１４】前記実施例１の掲示板を横に２つ並べて設置し、これらの２つの掲示板に跨って１枚の大きな掲示物を取り付けた状態を示す正面図である。
【図１５】図１４のＸＶ−ＸＶ線における断面図である。
【図１６】前記実施例１において、間隙空気抜き穴および掲示面空気穴が設けられていないと仮定した場合に、突風・強風が吹き込んだ状態を模式的に示す断面図である。
【図１７】前記実施例１において突風・強風が吹き込んだ状態を模式的に示す断面図である。
【図１８】本発明の実施例２の掲示板の右上隅部付近を示す斜視図である。
【図１９】前記実施例２の、図６に対応する断面図である（断面位置は右側Ｌ字形材の不連続部）。
【図２０】本発明の実施例３の掲示板の右上隅部付近を示す斜視図である。
【図２１】前記実施例３の、図６に対応する断面図である（断面位置は右側間隙形成部の不連続部）。
【図２２】本発明の実施例４における掲示面空気抜き穴付近を示す断面図である。
【符号の説明】
【００５４】
１    掲示板１
２    掲示板本体
３    上側枠材（掲示面を構成する部材）
３ｂ  上側枠材の軸突条（上側押さえ部の回動軸）
４    下側枠材（掲示面を構成する部材）
４ｂ  下側枠材の軸突条（下側押さえ部の回動軸）
５    パネル板（掲示面を構成する部材）
６    掲示面
６ａ  左側凹陥部
６ｂ  右側凹陥部
６ｃ  主平面状部
６ｄ  左側傾斜部
６ｅ  右側傾斜部
７    掲示面空気穴
８    左側Ｌ字形材
８ａ  左側間隙形成部
８ｂ  左側間隙閉塞部
９    左側掲示物挿入間隙
１０    左側間隙空気抜き穴
１１    右側Ｌ字形材
１１ａ  右側間隙形成部
１１ｂ  右側間隙閉塞部
１２    右側掲示物挿入間隙
１３    右側間隙空気抜き穴
１６    上側押さえ部
１７，１７（１），１７（２）    掲示物
１８    上側付勢手段
２１    下側押さえ部
２４    下側付勢手段
【図１】
2008065283.tif 000003
【図２】
2008065283.tif 000004
【図３】
2008065283.tif 000005
【図４】
2008065283.tif 000006
【図５】
2008065283.tif 000007
【図６】
2008065283.tif 000008
【図７】
2008065283.tif 000009
【図８】
2008065283.tif 000010
【図９】
2008065283.tif 000011
【図１０】
2008065283.tif 000012
【図１１】
2008065283.tif 000013
【図１２】
2008065283.tif 000014
【図１３】
2008065283.tif 000015
【図１４】
2008065283.tif 000016
【図１５】
2008065283.tif 000017
【図１６】
2008065283.tif 000018
【図１７】
2008065283.tif 000019
【図１８】
2008065283.tif 000020
【図１９】
2008065283.tif 000021
【図２０】
2008065283.tif 000022
【図２１】
2008065283.tif 000023
【図２２】
2008065283.tif 000024